(57)【特許請求の範囲】
【請求項１】
インフレータブルボートにおけるフロート部上面の取付座に取付けられる本体と、この本体から水中に向けて延出するアームと、このアームの先端に形成されるセンサ取付部を備えた魚群探知機用アタッチメントであって、前記アームは、湾曲状であり、該アームの根元部は、所定方向に揺動可能にされることを特徴とする魚群探知機用アタッチメント。
【請求項２】
前記アームは折り畳み可能にされることを特徴とする請求項１に記載の魚群探知機用アタッチメント。
【請求項３】
前記本体には、魚群探知機のモニター部を取付けるためのモニター取付部が形成されることを特徴とする請求項１又は請求項２に記載の魚群探知機用アタッチメント。
【発明の詳細な説明】
【０００１】
【発明の属する技術分野】
本発明は、例えば小型船舶等に魚群探知機を装着する際の補助治具となる魚群探知機用アタッチメントに関する。
【０００２】
【従来の技術】
近年、マリンレジャーの普及に連れてインフレータブルボート等の小型ボートを使用したボート釣りが盛んになっており、またポータブル式の魚群探知機が安価に出回るようになたため、ボート釣りで魚群探知機を使用する機会が増えている。
この際、エンジン取付用のトランサム板を備えた船外機付きボート等であれば、トランサム板等を利用して魚群探知機のセンサを取付けることが可能であるが、チューブ式のフロート部が主体となるゴムボート等では、例えば両舷のフロート部の間に架け渡される座席板や、底板等を利用して魚群探知機のセンサやモニター部等を固定せざるを得なかった。
【０００３】
【発明が解決しようとする課題】
ところが、上記のように座席板や底板を利用して魚群探知機を固定する場合は、狭い船内での各種作業等の邪魔になりやすく、また船内スペースも制約されて乗員の移動や物品搭載等に不便であった。
【０００４】
そこで本発明は、船内のスペースを広く活用することが出来、また、魚群探知に適した箇所に適切に配置出来るようにすることを目的とする。
【０００５】
【課題を解決するための手段】
上記目的を達成するため本発明は、インフレータブルボートにおけるフロート部上面の取付座に取付けられる本体と、この本体から水中に向けて延出するアームと、このアームの先端に形成されるセンサ取付部を備えた魚群探知機用アタッチメントを設け、前記アームを湾曲状とし、該アームの根元部を、所定方向に揺動可能にした。
【０００６】
そして、アタッチメントの本体をインフレータブルボートにおけるフロート部上面の取付座に取り付け、先端にセンサを取付けたアームを水中を延出させて魚群探知を行い、任意の箇所に設置したモニター部で監視するが、この際、本体をフロート部上面の取付座に取り付けるため、乗員の作業の邪魔にならず、船内スペースを広く活用することが出来る。
また、アームの根元部を揺動自在にしておけば、例えば水上の浮遊物等がアームの先端に引っ掛かったり、アームの先端が傷害物等に衝突したような時でも、アームに無理な力が作用せず、アームの損傷等が防止される。このため、少なくとも船の進行方向に揺動可能にしておくことが好ましい。
【０００７】
ここで、船のタイプ等はインフレータボートとするが、インフレータボートであれば手漕ぎ式の小型ボートでも、船外機付きのボートでも、帆走式のボートでも良く、またその他のタイプの船舶でも良い。
【０００８】
ここで、インフレータブルボートのフロート部の取付座とは、例えば釣竿支持用の受具等を固定するため、既にチューブ式のフロート部に貼着されている直方体ブロック状の弾性部材であり、この取付座を利用してアタッチメント本体を取付けるようにすれば、場所的にも好適であり、また既存のインフレータブルボートをそのまま活用出来て便利である。
【０００９】
また本発明では、前記アームを折り畳み可能とすることが好ましい。
このように折り畳み可能にすれば、例えばアーム長を長くしても、収納時等にコンパクトに折り畳んで搬送等を行うことが出来、便利である。
【００１０】
また本発明では、前記本体に、魚群探知機のモニター部を取付けるためのモニター取付部を形成するようにした。
こうすれば、魚群探知機の構成部品一式を纏めてアタッチメントに取付けることが可能となり、また本体周囲の空間を有効に活用出来る。
【００１１】
【発明の実施の形態】
本発明の実施の形態について添付した図面に基づき説明する。
ここで図１は本魚群探知機用アタッチメントが取付けられるボートの一例を示す全体図、図２は本魚群探知機用アタッチメントの一例を示す説明図、図３は本体に形成されるモニタ取付部の説明図、図４はアームの構造の一例を示す説明図である。
【００１２】
本発明に係る魚群探知機用アタッチメント１は、例えば図１に示すようなインフレータブルボートＢのフロート部Ｂｆにポータブル式等の魚群探知機を取付ける際の補助治具として構成され、図２にも示すように、フロート部Ｂｆの上面の取付座ｇに取付けられる本体２と、この本体２から水中に向けて延出するアーム３を備えており、このアーム３の先端には、センサ４を取付けるためのセンサ取付部５が設けられている。
【００１３】
そしてこの実施形態では本体２の上部にモニター取付部６が形成されており、このモニター取付部６にモニター部７が取付けられるとともに、このモニター部７の背面側に接続される接続コード８の延出端部が前記センサ４に接続されている。
【００１４】
前記取付座ｇは、例えば釣竿を支持する受具等を固定するため、殆どのインフレータブルボートＢのフロート部Ｂｆの上面に接着等で固定されているものであり、ソリッドゴム等の弾性部材から直方体ブロック状に構成されるとともに、中間部に貫通孔が形成されている。
【００１５】
前記本体２は、取付座ｇに嵌合可能な嵌合部２ｐと、フロート部Ｂｆの上面形状に倣った円弧部２ｒを備えており、嵌合部２ｐには、取付座ｇに嵌合させた際に取付座ｇの貫通孔に連通する軸挿通孔ｈ（図３）が形成されている。
そしてこの軸挿通孔ｈには、後述するアーム支持軸１３が取付座ｇの貫通孔を通して挿通され、アーム支持軸１３の一端側に形成されるネジ部にナット１４を螺合させて本体２を取付座ｇに固定出来るようにしている。
【００１６】
また、前記モニター取付部６は、図３にも示すように、嵌合部２ｐの上面にピン９により枢着されて所定角度範囲（実施形態では４５度範囲）内で水平に揺動自在な水平板１０と、この水平板１０の両端部にヒンジ等を介して起伏自在に設けられる一対の取付板１１を備えており、この取付板１１には、モニター７を固定するためのネジ挿通孔ｉが設けられている。
【００１７】
そして、両方の取付板１１を起こした状態で、間にモニター部７をセットし、ネジ挿通孔ｉを通したネジ１２（図２）によりモニター部７を固定するようにし、また収納時には、取付板１１を倒してスペースが広がらないようにしている。
【００１８】
前記アーム３は、図４にも示すように、前記アーム支持軸１３の一端側に、軸周りに回動自在に設けられており、また中間部が分割されてピン軸１５で枢着されている。
このため、アーム３全体をアーム支持軸１３の軸周りに回動させると、アーム３の下端部のセンサ取付部５が揺動し、またアーム３の下方部をピン軸１５回りに揺動させると、図４の鎖線に示すように折り畳むことが出来るようにされている。
またアーム３の下端部のセンサ取付部５は、センサ４をネジ止めで固定出来るようにされている。
【００１９】
以上のように構成される魚群探知機用アタッチメント１において、本体２上部のモニター取付部６にモニター部７を取り付け、このモニター部７に接続コード８を介して接続されるセンサ４を、アーム３先端のセンサ取付部５に取付けるとともに、本体の２の嵌合部２ｐを、図２に示すフロート部Ｂｆの取付座ｇに取付ける。
【００２０】
そして図２に示すようにアーム３の先端のセンサ４を水中に浸漬し、センサ４から音波を発振し、反射波を受信してその信号をモニター部７の画面に表示することで、魚群を探知する。
この際、モニター部７を保持する水平板１０は、所定角度揺動するため、見やすい方向にセットして監視することが出来る。
【００２１】
こうしてセットした魚群探知機によりモニター部７の画像を監視しつつ、例えばボートＢを走行させるような場合、アーム３は、少なくともボートＢの進行方向に揺動可能にされているため、走行中にアーム３の下端部が傷害物等に衝突したり、水上浮遊物等がアーム３の下端部に引っ掛かっても、アーム３の下端部はアーム支持軸１３周りに揺動し、アーム３に無理な力がかかるようなことがなく、アーム３の折損等を未然に防止することが出来る。
【００２２】
また、このような魚群探知機用アタッチメント１は、インフレータブルボートＢを使用しないで収納するような際、簡単に取外して持ち運ぶことが可能であるが、アーム３が折り畳み可能であるため、コンパクトな形態で嵩張らないようにして搬送することが出来る。
【００２３】
尚、本発明は以上のような実施形態に限定されるものではない。本発明の特許請求の範囲に記載した事項と実質的に同一の構成を有し、同一の作用効果を奏するものは本発明の技術的範囲に属する。
例えば、上記の実施形態では、モニター部７をアタッチメント１の上部に取り付けるようにしているが、アタッチメント１の上部に釣竿支持用の受具等を取付け、モニター部７を別の箇所に設けるようにしても良い。
また、アタッチメント１をフロート部Ｂｆの取付座ｇ以外の箇所、例えば図１のインフレータブルボートＢのトランサム板Ｂｔ等に設けるようにしても良い。
【００２４】
更に、本アタッチメント１が取り付けられるインフレータブルボートの種類等は任意である。
【００２５】
【発明の効果】
以上のように本発明に係る魚群探知機用アタッチメントは、インフレータブルボートのフロート部上面の取付座に取付けられる本体から水中に向けて湾曲状のアームを延出させ、このアームの先端にセンサを取付けるようにしたため、乗員の作業の邪魔にならず、船内スペースを広くすることが出来る。
またアームの根元部を、所定方向に対して揺動可能にしているため、例えば水上の浮遊物等がアームの先端に引っ掛かったような時でも、アームに無理な力が作用せず、アームの損傷等が防止される。
【００２６】
またアームを折り畳み可能にすれば、収納時等にコンパクトに折り畳んで搬送等を行うことが出来る。
さらに、本体にモニター取付部を形成すれば、魚群探知機の構成部品一式を纏めてアタッチメントに取付けることが可能となり便利である。
【図面の簡単な説明】
【図１】本魚群探知機用アタッチメントが取付けられるボートの一例を示す全体図
【図２】本魚群探知機用アタッチメントの一例を示す説明図
【図３】本体に形成されるモニタ取付部の説明図
【図４】アームの構造の一例を示す説明図
【符号の説明】
１…魚群探知機用アタッチメント、２…本体、３…アーム、４…センサ、５…センサ取付部、６…モニター取付部、７…モニター部、Ｂ…インフレータブルボート、ｇ…取付座。
【図１】
0004183217.tif 000002
【図２】
0004183217.tif 000003
【図３】
0004183217.tif 000004
【図４】
0004183217.tif 000005